(57)【要約】【課題】室内側から開口フレームを取り付けることが容易な取付構造を提供する。【解決手段】開口フレーム４の取付構造１において、開口フレーム４は、壁パネルＰ１の室内側の表面Ｐ１ａに当接するパネル表面当接片１１及び壁パネルＰ１の小口面Ｐ１ｂに当接するパネル小口面当接片１２を含む縦フレーム７と、パネル表面当接片１１の上部及び第２横架材３の下面３ｂに取り付けられるＬ型の上取付金具１４と、パネル表面当接片１１の下部に固定されると共に、Ｌ型の第１下地鋼材６の鉛直フランジ６ｂに室内側から当接して取り付けられる下取付金具１３と、を有する。【選択図】図３
2014190127.tif 000002
【特許請求の範囲】
【請求項１】
第１下地鋼材が固定された第１横架材の上には第２下地鋼材が固定された第２横架材が配置され、前記第１横架材及び前記第２横架材の間の壁パネルは前記第１下地鋼材を介して前記第１横架材に取り付けられると共に前記第２下地鋼材を介して前記第２横架材に取り付けられ、前記壁パネルの間に開口フレームを取り付ける構造において、
前記開口フレームは、
前記壁パネルの室内側の表面に当接するパネル表面当接片及び前記壁パネルの小口面に当接するパネル小口面当接片を含む縦フレームと、
前記パネル表面当接片の上部及び前記第２横架材の下面に取り付けられるＬ型の上取付金具と、
前記パネル表面当接片の下部に固定されると共に、Ｌ型の前記第１下地鋼材の鉛直フランジに室内側から当接して取り付けられる下取付金具と、を有することを特徴とする開口フレームの取付構造。
【請求項２】
前記第１下地鋼材の前記鉛直フランジには、水平方向に延びた横長の第１ネジ貫通穴が設けられ、
前記下取付金具には、上下方向に延びた縦長の第２ネジ貫通穴が設けられていることを特徴とする請求項１に記載の開口フレームの取付構造。
【請求項３】
前記下取付金具は、前記パネル小口面当接片から水平方向に突出するように前記パネル表面当接片に固定されていることを特徴とする請求項２に記載の開口フレームの取付構造。
【請求項４】
前記第２ネジ貫通穴は、水平方向に並設されていることを特徴とする請求項２又は３に記載の開口フレームの取付構造。
【発明の詳細な説明】
【技術分野】
【０００１】
本発明は、壁パネルの間に開口フレームを取り付ける開口フレームの取付構造に関する。
【背景技術】
【０００２】
従来、このような分野の技術として、特開平１−２８４６４７号公報がある。この公報には、開口フレームの取付構造が開示されている。建物躯体の上梁には、アングル板が取り付けられ、アングル板の垂直板は垂直に吊下げられている。また、建物躯体の下梁には、アングル板が取り付けられ、アングル板の垂直板は垂直に起立されている。このような建物躯体においては、開口フレームの縦枠の背面がアングル板の垂直板に当接するように取り付けられる。
【先行技術文献】
【特許文献】
【０００３】
【特許文献１】特開平１−２８４６４７号公報
【発明の概要】
【発明が解決しようとする課題】
【０００４】
開口フレームは、窓フレームや窓フレームの周囲に配置される壁パネル等を取り付けるものであるため、梁よりも室外側に配置される。そうすると、室内にいる作業者が特許文献１の取付構造を施工する場合には、開口フレームを一旦外に出す作業が必要になる。そして、外に出した開口フレームを室内側に引き寄せて縦枠をアングル板に押し当てつつ上梁及び下梁に固定する。このように開口フレームを引き寄せながら固定する作業は作業性が悪い場合があった。
【０００５】
また、開口フレームを外に出すとき、開口フレームを取り付ける領域の左右両側に、壁パネルが既に取り付けられていることがある。この場合には、壁パネルの間から開口フレームを外に出す作業が困難になるおそれがある。そのうえ、開口フレームの形状によっては、壁パネルの間から開口フレームを外に出すことができない場合もある。
【０００６】
そこで、本発明は、室内側から開口フレームを取り付けることが容易な開口フレームの取付構造を提供する。
【課題を解決するための手段】
【０００７】
本発明は、第１下地鋼材が固定された第１横架材の上には第２下地鋼材が固定された第２横架材が配置され、第１横架材及び第２横架材の間の壁パネルは第１下地鋼材を介して第１横架材に取り付けられると共に第２下地鋼材を介して第２横架材に取り付けられ、壁パネルの間には開口フレームが配置された開口フレームの取付構造において、開口フレームは、壁パネルの室内側の表面に当接するパネル表面当接片及び壁パネルの小口面に当接するパネル小口面当接片を含む縦フレームと、パネル表面当接片の上部及び第２横架材の下面に取り付けられるＬ型の上取付金具と、パネル表面当接片の下部に固定されると共に、Ｌ型の第１下地鋼材の鉛直フランジに室内側から当接して取り付けられる下取付金具と、を有する。
【０００８】
上述した開口フレームの取付構造によれば、パネル表面当接片が壁パネルの室内側の表面に当接すると共にパネル小口面当接片が壁パネルの小口面に当接するように、室内側から作業を行う。壁パネルに押し当てられた縦フレームに対して、上取付金具の鉛直フランジを縦フレームのパネル表面当接片の上部に取り付けると共に水平フランジを第２横架材の下面に取り付けることにより、縦フレームの上部が上側の第２横架材に固定される。また、縦フレームの下部には下取付金具が固定される。そして、パネル表面当接片が壁パネルの室内側の表面に当接すると、下取付金具が第１下地鋼材の鉛直フランジに対して室内側から当接して固定される。従って、開口フレームを外に出すことなく壁パネルの間に開口フレームを室内側から配置して容易に取り付けることができる。
【０００９】
また、第１下地鋼材の鉛直フランジには、水平方向に延びた横長の第１ネジ貫通穴が設けられ、下取付金具には、上下方向に延びた縦長の第２ネジ貫通穴が設けられている。
この構成によれば、下取付金具は、第１ネジ貫通穴及び第２ネジ貫通穴に挿通されるネジ類によって下地鋼材に対して締結される。ここで、第１ネジ貫通穴は横長の穴であるので、第１下地鋼材は、第１ネジ貫通穴に挿通されたネジ類に対して水平方向に移動可能とされる。また、第２ネジ貫通穴は縦長の穴であるので、下取付金具は、第２ネジ貫通穴に挿通されたネジ類に対して上下方向に移動可能とされる。従って、下取付金具は、第１下地鋼材に対して水平方向及び上下方向に移動可能であるため、第１下地鋼材に対する開口フレームの位置調整しろを大きくすることができる。
【００１０】
また、下取付金具は、パネル小口面当接片から水平方向に突出するようにパネル表面当接片に固定されている。
この構成によれば、下取付金具の第２ネジ貫通穴をパネル小口面当接片から水平方向に突出する方向にずらして設けることが可能になるため、下地鋼材の第１ネジ貫通穴を壁パネルの小口面に対応する位置に設けることができる。従って、壁パネルの位置合わせのための目印と第１下地鋼材の第１ネジ貫通穴のための目印とを共通化して、ケガキ作業を省力化することができる。
【００１１】
また、第２ネジ貫通穴は、水平方向に並設されている。
このような構成によれば、一方の縦フレームに固定された一方の下取付金具を下地鋼材に取り付ける場合は一方の第２ネジ貫通穴を利用する。また、他方の縦フレームに固定された他方の下取付金具を下地鋼材に取り付ける場合には他方の第２ネジ貫通穴を利用する。従って、それぞれの縦フレームに固定される下取付金具を共通化することができる。
【発明の効果】
【００１２】
本発明によれば、室内側から開口フレームを取り付けることが容易な開口フレームの取付構造が提供される。
【図面の簡単な説明】
【００１３】
【図１】開口フレームの取付構造を示す斜視図である。
【図２】開口フレームを取り付けた様子を示す斜視図である。
【図３】開口フレームを示す斜視図である。
【図４】縦フレームの取付構造を示す平面図である。
【図５】図４のV−V線に沿った断面図である。
【図６】（ａ）は縦フレームの上部の取付構造を示す要部拡大断面図であり、（ｂ）は縦フレームの下部の取付構造を示す要部拡大断面図である。
【図７】（ａ）は下取付金具の正面図であり、（ｂ）は（ａ）のVII−VII線に沿った断面図である。
【図８】下取付金具を第１下地鋼材に取り付けた様子を示す要部拡大正面図である。
【図９】まぐさ壁パネル及び腰壁パネルの取付構造を示す断面図である。
【図１０】壁パネル及びまぐさ壁パネルの取付構造を示す要部拡大断面図である。
【図１１】（ａ）はまぐさ壁パネルの取付構造を示す要部拡大断面図であり、（ｂ）は腰壁パネルの取付構造を示す要部拡大断面図である。
【図１２】（ａ）〜（ｃ）は開口フレームを取り付ける状態を示す断面図である。
【図１３】（ａ）〜（ｄ）は開口フレームを取り付ける状態を示す断面図である。
【図１４】（ａ）〜（ｅ）は開口フレームを取り付ける状態を示す正面図である。
【図１５】（ａ）は開口フレームを建込む工程における開口フレームの状態を示す断面図であり、（ｂ）は開口フレームを建込む工程における開口フレームの別の状態を示す断面図である。
【図１６】（ａ）は開口フレームを仮固定する工程におけるボルトの状態を示す斜視図であり、（ｂ）は（ａ）の側面図である。
【図１７】（ａ）は比較例に係る腰壁パネルを取り付ける状態を示す断面図であり、（ｂ）は本実施形態に係る腰壁パネルを取り付ける状態を示す断面図である。
【図１８】（ａ）は開口フレームを押し下げる前の状態を示す断面図であり、（ｂ）は開口フレームを押し下げた後の状態を示す断面図である。
【図１９】（ａ）〜（ｃ）は、上取付金具を取り付ける工程の状態を示す断面図である。
【図２０】（ａ）及び（ｂ）は、開口フレームの取付構造の効果を説明するための断面図である。
【発明を実施するための形態】
【００１４】
以下、開口フレームの取付構造の好適な実施形態について詳細に説明する。図面の説明において同一の要素には同一の符号を付し、重複する説明を省略する。
【００１５】
図１及び図２に示されるように、開口フレーム４の取付構造１は、下側の第１横架材２と上側の第２横架材３の間に配置された壁パネルＰ１の間の開口領域Ｓに、窓フレームＷと、まぐさ壁パネルＰ２と、腰壁パネルＰ３と、を固定する開口フレーム４を取り付ける構造である。壁パネルＰ１と、まぐさ壁パネルＰ２と、腰壁パネルＰ３とは、ＡＬＣパネルであり、例えば、壁パネルＰ１は高さ３０００ｍｍ、幅６００ｍｍ、厚さ１００ｍｍといった寸法である。
【００１６】
なお、図２及び図５では、まぐさ壁パネルＰ２及び腰壁パネルＰ３の図示を省略している。また、各部位の位置関係の説明で用いる「外」、「内」の語は、建物の外側、内側に対応するものとする。
【００１７】
図２に示されるように、開口フレーム４は、上部が上側の第２横架材３に取り付けられると共に下部が下側の第１下地鋼材６に取り付けられる２本の縦フレーム７を有している。縦フレーム７の間には、両端が縦フレーム７に溶接された２本の横フレーム８が固定されている。
【００１８】
窓フレームＷは、左右に配置された縦フレーム７と、上下に配置された横フレーム８に囲まれた領域にはめ込まれている。まぐさ壁パネルＰ２は、上部が上側の第２横架材３に取り付けられると共に下部が上側の横フレーム８に取り付けられている。腰壁パネルＰ３は、上部が下側の横フレーム８に取り付けられると共に下部が下側の第１横架材２に取り付けられている。
【００１９】
開口フレーム４の取付構造１では、下側の第１横架材２の上に上側の第２横架材３が配置されている。下側の第１横架材２及び上側の第２横架材３は、木造の建物における木質の梁であり、これら下側の第１横架材２及び上側の第２横架材３のそれぞれには床５が載置されている（図１参照）。
【００２０】
ここで「木質の横架材」とは、木質材のみからなる横架材、木質材が接着やビス締め等の手段により集成された横架材、Ｈ形鋼などの鋼材を木質材（集成材を含む）で覆った横架材、複層構成になっていて非木質材の（不燃）層と木質材の層を有する横架材（最外層は木質材であっても非木質材であってもよい）、木質材を耐火被覆材で保護した横架材、木質材からなる主たる構造部材を耐火材で被覆し更にその耐火材を木質材で覆った横架材、木質材（集成材を含む）の中央にＨ形鋼などの鋼材からなる主たる構造部材を埋設した横架材などがある。
【００２１】
下側の第１横架材２には、下側の第１下地鋼材６が固定され、上側の第２横架材３には上側の第２下地鋼材９が固定されている。壁パネルＰ１は、下側の第１下地鋼材６を介して下側の第１横架材２に取り付けられると共に、上側の第２下地鋼材９を介して上側の第２横架材３に取り付けられている。
【００２２】
図３に示されるように、開口フレーム４は、正面視して井桁状の形状を有し、Ｌ型のアングル材を溶接して構成されている。開口フレーム４は、水平方向に並置された２本の縦フレーム７を有し、それぞれの縦フレーム７は下側の第１横架材２から上側の第２横架材３に亘って延び（図２参照）、水平方向に互いに離間している。
【００２３】
図４に示されるように、Ｌ型の縦フレーム７の一片であるパネル表面当接片１１は、壁パネルＰ１の室内側の表面Ｐ１ａに当接している。縦フレーム７の他片であるパネル小口面当接片１２は、パネル表面当接片１１の縁辺から起立し、壁パネルＰ１の小口面Ｐ１ｂに当接している。すなわち、縦フレーム７は、壁パネルＰ１の室内側の角部を覆うように配置されている。このような縦フレーム７の配置によれば、壁パネルＰ１の内法幅Ｄ１が開口フレーム４の見付け幅Ｄ２よりも小さくなり、開口領域Ｓの開口面積の減少が抑制されるので、開口領域Ｓにより大きい窓フレームＷを配置することができる。
【００２４】
図３に示されるように、パネル表面当接片１１の上部には、縦長のネジ貫通穴１１ａが設けられている。パネル表面当接片１１の下部には、縦フレーム７を下側の第１下地鋼材６に固定するための下取付金具１３が溶接されている。
【００２５】
左右の縦フレーム７の間で、２本の横フレーム８が上下方向に離間して掛け渡されている。上側の横フレーム８の両端は、鉛直フランジ８ｂが水平フランジ８ａから上方に延びるように縦フレーム７に対して溶接されている。下側の横フレーム８の両端は、鉛直フランジ８ｂが水平フランジ８ａから下方に延びるように縦フレーム７に対して溶接されている。
【００２６】
図５に示されるように、開口フレーム４は、下側の第１下地鋼材６及び上側の第２横架材３に取り付けられている。また、縦フレーム７が当接される壁パネルＰ１と、上側の第２横架材３との間には隙間が形成されている。
【００２７】
下側の第１下地鋼材６は、下側の第１横架材２に平行に延びる鋼製のアングル材であり、下側の第１横架材２の水平な上面２ａにおいてラグスクリュー１０によって固定される水平フランジ６ａと、水平フランジ６ａの縁部から鉛直上方に立設した鉛直フランジ６ｂと、を有している。鉛直フランジ６ｂは、下側の第１横架材２の上面２ａから僅かに外側にはみ出した位置にある。この鉛直フランジ６ｂのはみ出し量が、下側の第１下地鋼材６の設置時に調整されることで、壁パネルＰ１等の設置位置を水平方向に出入り調整することができる。なお、上側の第２下地鋼材９は第１下地鋼材６と同様の構成を有するため説明を省略する。
【００２８】
図６（ａ）に示されるように、開口フレーム４の上部は、Ｌ型のピースアングルである上取付金具１４によって上側の第２横架材３の下面３ｂに固定されている。
【００２９】
図３に示されるように、上取付金具１４の鉛直フランジ１６は、水平方向に延びた横長のネジ貫通穴１６ａを有し、縦フレーム７のパネル表面当接片１１に当接している（図６（ａ）参照）。上取付金具１４の鉛直フランジ１６は、縦フレーム７のパネル表面当接片１１に設けられたネジ貫通穴１１ａ及び鉛直フランジ１６のネジ貫通穴１６ａに挿通されたボルトＢ１と、ボルトＢ１に螺合されるナットＮ１とにより縦フレーム７に固定されている。ここで、パネル表面当接片１１のネジ貫通穴１１ａが縦長であり、上取付金具１４のネジ貫通穴１６ａが横長であるので、縦フレーム７に対する上取付金具１４の上下方向における位置調整しろを大きくすることができる。
【００３０】
上取付金具１４の水平フランジ１９は、水平方向に２個並設されたネジ貫通穴１９ａを有し、上側の第２横架材３の下面３ｂに当接している（図６（ａ）参照）。水平フランジ１９は、ネジ貫通穴１９ａを通じてラグスクリュー２１を上側の第２横架材３にねじ込むことにより上側の第２横架材３に固定されている。ここで、水平フランジ１９のネジ貫通穴１９ａの穴径は、ラグスクリュー２１の首径と略同じとされているので、上取付金具１４の面外方向へのずれを抑制することができる。
【００３１】
図６（ｂ）に示されるように、開口フレーム４の下部は、下取付金具１３によって下側の第１下地鋼材６の鉛直フランジ６ｂに固定されている。
【００３２】
図７（ａ）及び図７（ｂ）に示されるように、下取付金具１３は、上下方向に延びた短冊状の金具である。下取付金具１３の上部にはパネル表面当接片１１に溶接される上段固定部２２が設けられている。下取付金具１３の下部には、下側の第１下地鋼材６に取り付けられる下段固定部２３が設けられている。下段固定部２３には、左右対称となるように水平方向に縦長のネジ貫通穴２３ａが並置されている。
【００３３】
上段固定部２２と下段固定部２３との間には、屈曲部２４が形成されている。このような形状により、図６（ｂ）に示されるように、下段固定部２３を下側の第１下地鋼材６の鉛直フランジ６ｂに当接させることによって、下側の第１下地鋼材６及び下側の第１横架材２よりも開口フレーム４を室外側に配置することができる。
【００３４】
下取付金具１３は、下段固定部２３が室内側から下側の第１下地鋼材６の鉛直フランジ６ｂに当接されている。そして、下取付金具１３は、下側の第１下地鋼材６の鉛直フランジ６ｂに設けられたネジ貫通穴２６（図３参照）及び下段固定部２３のネジ貫通穴２３ａ（図７（ａ）参照）を室外側から挿通するボルトＢ２にナットＮ２を螺合することにより下側の第１下地鋼材６に締結されている。
【００３５】
ここで、ボルトＢ２は、首部の断面形状が矩形状であり、首部の一辺がネジ貫通穴２６の幅と略等しい根角ボルトであることが好ましい。ボルトＢ２の首部がネジ貫通穴２６に嵌った状態では、ナットＮ２を螺合する場合にボルトＢ２の共回りが防止される。
【００３６】
また、図３に示されるように、下取付金具１３のネジ貫通穴２３ａが縦長であり、下側の第１下地鋼材６のネジ貫通穴２６が横長であるので、下側の第１下地鋼材６に対する下取付金具１３の上下方向及び水平方向の位置調整しろを大きくすることができる。
【００３７】
図８に示されるように、下取付金具１３は、パネル小口面当接片１２から水平方向に突出するようにパネル表面当接片１１に溶接されている。すなわち、縦フレーム７に対して開口領域Ｓ側にずらして溶接されている。
【００３８】
下取付金具１３には、パネル表面当接片１１への水平方向の取付位置を示す目印２２ａと、パネル表面当接片１１への垂直方向の取付位置を示す目印２２ｂとが設けられている。目印２２ａは、ネジ貫通穴２３ａの縦方向の中心軸線Ａからパネル小口面当接片１２の板厚だけ外側に設けられている。また、目印２２ｂは、屈曲部２４と上段固定部２２との間の折れ曲がり部とされている。そして、下取付金具１３は、目印２２ａをパネル小口面当接片１２に一致させ、目印２２ｂを縦フレーム７の下端７ａに一致させて、縦フレーム７に溶接されている。
【００３９】
このような目印２２ａ，２２ｂを設けることにより、縦フレーム７に対する下取付金具１３の取付位置の精度を高めることができると共に、取付作業性を向上することができる。
【００４０】
また、図３に示されるように、この下取付金具１３は、縦フレーム７のそれぞれにおいて内側にずらして溶接されている。そして、開口フレーム４を下側の第１下地鋼材６に固定する場合には、内側にあるネジ貫通穴２３ａを利用する。
【００４１】
図９に示されるように、まぐさ壁パネルＰ２は、上部が上側の第２横架材３に固定され、下部が開口フレーム４の上側の横フレーム８に固定されている。
【００４２】
図１０に示されるように、上側の第２下地鋼材９の鉛直フランジ９ｂには、取付金具２７が固定されている。取付金具２７の下部には、まぐさ壁パネルＰ２を取り付けるための下段固定部２７ｂが設けられている。下段固定部２７ｂには、下段固定部２７ｂに設けられたボルト穴（不図示）に挿入されたボルトＢ３と、植設ナットＮ３とによりまぐさ壁パネルＰ２が固定されている。
【００４３】
また、取付金具２７の上部には、壁パネルＰ１の下部を固定するための上段固定部２７ａが設けられている。上段固定部２７ａには、上段固定部２７ａに設けられたボルト穴（不図示）に挿入されたボルトＢ４と、植設ナットＮ４とにより、壁パネルＰ１の下部が固定されている。
【００４４】
上段固定部２７ａと下段固定部２７ｂとの間には、取付金具２７を上側の第２下地鋼材９の鉛直フランジ９ｂに固定するためのフランジ固定部３３が設けられている。フランジ固定部３３は、フランジ固定部３３に設けられたボルト穴（不図示）に室外側から挿入されたボルトＢ５と、ボルトＢ５に螺合されるナットＮ５とにより鉛直フランジ９ｂに固定されている。このフランジ固定部３３は、上段固定部２７ａ及び下段固定部２７ｂに対して室内側に膨出しているため、上段固定部２７ａに取り付けられた壁パネルＰ１及び下段固定部２７ｂに取り付けられたまぐさ壁パネルＰ２は、上側の第２下地鋼材９に対して室外側へ離間した位置に配置される。すなわち、壁パネルＰ１の室内側の表面Ｐ１ａと上側の第２下地鋼材９の鉛直フランジ９ｂとの間には所定の隙間が形成されている。
【００４５】
なお、フランジ固定部３３には、取付金具２７の回り止め処理として、ビス（不図示）が取り付けられていてもよい。この回り止め処理により、ボルトＢ５を中心とした取付金具２７の回転方向の位置が固定され、その結果、壁パネルＰ１及び腰壁パネルＰ３の位置が確実に固定される。
【００４６】
上側の第２下地鋼材９の鉛直フランジ９ｂには、自重受金具３７が取り付けられている。自重受金具３７は水平方向に延びる水平フランジ３７ａと、鉛直フランジ７ｂに固定される鉛直フランジ３７ｂとを有している。壁パネルＰ１の下端面Ｐ１ｃが水平フランジ３７ａに当接することにより、壁パネルＰ１が上下方向に位置決めされると共に、壁パネルＰ１の自重が自重受金具３７に支持される。
【００４７】
図１１（ａ）に示されるように、まぐさ壁パネルＰ２の下部は、室内側の表面Ｐ２ａが上側の横フレーム８の鉛直フランジ８ｂに当接すると共に、下端面Ｐ２ｂが上側の横フレーム８の水平フランジ８ａに当接している。この構成により、まぐさ壁パネルＰ２が上下方向に位置決めされると共に、まぐさ壁パネルＰ２の自重が上側の横フレーム８に支持される。上側の横フレーム８の鉛直フランジ８ｂには、イナズマ状の取付金具３８の一端側が固定され、取付金具３８の他端側は植設ナットＮ６及びボルトＢ６によってまぐさ壁パネルＰ２に固定されている。
【００４８】
図９に示されるように、腰壁パネルＰ３は、上部が開口フレーム４の下側の横フレーム８に固定され、下部が下側の第１下地鋼材６に固定されている。
【００４９】
図１１（ｂ）に示されるように、腰壁パネルＰ３の上部は、室内側の表面Ｐ３ａが下側の横フレーム８の鉛直フランジ８ｂに当接すると共に、上端面Ｐ３ｃが下側の横フレーム８の水平フランジ８ａに当接することにより腰壁パネルＰ３が上下方向に位置決めされる。下側の横フレーム８の鉛直フランジ８ｂには、イナズマ状の取付金具３９の一端側が固定され、取付金具３９の他端側が植設ナットＮ７及びボルトＢ７によって腰壁パネルＰ３に固定されている。
【００５０】
図９に示されるように、腰壁パネルＰ３の下部は、下側の第１下地鋼材６に固定された取付金具２７の上段固定部２７ａに対して、ボルトＢ８と、植設ナットＮ８とにより、腰壁パネルＰ３の下部が第１下地鋼材６に固定されている。
【００５１】
次に、開口フレーム４の取付構造１の施工方法を説明する。図１２（ａ）及び図１４（ａ）に示されるように、下側の第１横架材２に床５及び下側の第１下地鋼材６を取り付け、上側の第２横架材３に床５及び上側の第２下地鋼材９を取り付ける。下側の第１下地鋼材６と上側の第２下地鋼材９の間に壁パネルＰ１を取り付ける。なお、このとき、壁パネルＰ１から屋外側に数十センチメートル離間して、仮設足場（不図示）が配置されていてもよい。
【００５２】
次に、開口フレーム４を取り付ける施工について説明する。
【００５３】
まず、開口フレーム４の取付構造１の施工現場の溶接可能な場所において、既製品のアングル材を切断及び接合して井桁状の開口フレーム４を組み立てる。そして、開口フレーム４のネジ貫通穴１１ａにボルトＢ１とナットＮ１を仮締めする。このとき、壁パネルＰ１の間の水平方向の長さである内法幅Ｄ１（図１４（ａ）参照）を採寸し、採寸結果を利用して開口フレーム４を組み立ててもよい。この方法によれば、建物躯体の組み立て誤差を吸収して、開口フレーム４の仕上がり精度を高めることができる。
【００５４】
また、木質の第１横架材２及び上側の第２横架材３から離れた場所で溶接作業を実施することにより、火災の発生リスクを低減して施工現場における作業安全性を高めることができる。さらに、予め定めた所定の場所で溶接作業を実施することにより、溶接作業に必要な接地コード類の引き回し等を不要として作業性を高めることができる。
【００５５】
ここで、壁パネルＰ１の表面Ｐ１ａには、ボルトＢ１のためのあたり加工部４１が形成されていてもよい。このあたり加工部４１は、ボルトＢ１の頭部と壁パネルＰ１とが接触することを避けるためのものである。壁パネルＰ１の室内側の表面Ｐ１ａにおいて、上側の第２横架材３の下面３ｂを挟むように上下に延在させて、あたり加工部４１を形成する。
【００５６】
図１２（ｂ）及び図１４（ｂ）に示されるように、開口フレーム４を室内側から開口領域Ｓに建込む。図１５（ａ）に示されるように、開口フレーム４の上方を室外側に傾けて、縦フレーム７のパネル小口面当接片１２を壁パネルＰ１の小口面Ｐ１ｂに当接させると共に、パネル表面当接片１１を壁パネルＰ１の室内側の表面Ｐ１ａに当接させる。続いて、パネル表面当接片１１の上端を上側の第２横架材３と壁パネルＰ１の間に下方から上方に差し込むように、上側の第２横架材３と壁パネルＰ１の間に挿入しつつ、開口フレーム４の下取付金具１３を室内側から下側の第１下地鋼材６の鉛直フランジ６ｂに押し当てる。
【００５７】
このとき、壁パネルＰ１にはあたり加工部４１（図１２（ａ）参照）が形成されているため、ボルトＢ１の頭部が壁パネルＰ１の表面Ｐ１ａに当接することがないので、パネル表面当接片１１を壁パネルＰ１の表面Ｐ１ａに密着させつつ差し込むことができる。
【００５８】
一方、ボルトＢ１の首下部と上側の第２横架材３の下面３ｂとが接触するとそれ以上に開口フレーム４を上方に差し込むことができなくなる。そこで、本実施形態の施工方法では、縦長に形成されたパネル表面当接片１１のネジ貫通穴１１ａの下端にボルトＢ１及びナットＮ１を仮締めすることにより、ボルトＢ１の首下部と上側の第２横架材３の下面３ｂとが接触するまでの距離を長くしている。
【００５９】
なお、ボルトＢ１及びナットＮ１は、開口フレーム４を壁パネルＰ１と上側の第２横架材３との間に差し込んだ後であって、下取付金具１３を下側の第１下地鋼材６に当接させる前にネジ貫通穴１１ａに仮締めしてもよい。
【００６０】
図１２（ｃ）に示されるように、下取付金具１３を、下側の第１下地鋼材６の鉛直フランジ６ｂに対して基準位置よりも約１０ｍｍ高い位置に仮固定する。基準位置とは、下側の横フレーム８が腰壁パネルＰ３の上端面Ｐ３ｃに当接する開口フレーム４の位置である。図１６（ａ）及び図１６（ｂ）に示されるように、ボルトＢ２を室外側から下側の第１下地鋼材６のネジ貫通穴２６、下取付金具１３のネジ貫通穴２３ａの順に挿通させてナットＮ２を螺合する。
【００６１】
図１３（ａ）及び図１４（ｃ）に示されるように、腰壁パネルＰ３を下側の横フレーム８と自重受金具３７（図２参照）との間に建込む。
【００６２】
ここで、開口フレーム４が基準位置に固定されていると、図１７（ａ）に示されるように、下側の横フレーム８と自重受金具３７との間が腰壁パネルＰ３の高さと略同じになるので、腰壁パネルＰ３を容易に建て込むことができない。
【００６３】
一方、本実施形態では、開口フレーム４が基準位置よりも高い位置に仮固定されているので、図１７（ｂ）に示されるように、下側の横フレーム８の水平フランジ８ａと自重受金具３７の水平フランジ３７ａとの間は、腰壁パネルＰ３の高さよりも大きい。このような構成では、腰壁パネルＰ３の下端面Ｐ３ｂを自重受金具３７に当接させた場合に、上端面Ｐ３ｃと下側の横フレーム８との間には隙間Ｄが形成される。従って、腰壁パネルＰ３を容易に建込むことができる。
【００６４】
腰壁パネルＰ３を建込んだ後に、腰壁パネルＰ３の上部を下側の横フレーム８の取付金具３９によって下側の横フレーム８に仮固定する（図１１（ｂ）参照）。また、腰壁パネルＰ３の下部を下側の第１下地鋼材６の取付金具２７によって下側の第１下地鋼材６に仮固定する（図９参照）。
【００６５】
図１３（ｂ）及び図１４（ｄ）に示されるように、開口フレーム４を所定位置まで押し下げる。
【００６６】
ここで、図１８（ａ）に示されるように、腰壁パネルＰ３を仮固定した状態では、上端面Ｐ３ｃと下側の横フレーム８との間に隙間Ｄが形成されている。そこで、図１８（ｂ）に示されるように、下側の横フレーム８が上端面Ｐ３ｃに当接するまで、下側の横フレーム８をハンマー等で叩いて開口フレーム４の高さを調整する。この工程により、腰壁パネルＰ３と下側の横フレーム８とを隙間なく施工することができる。
【００６７】
図１３（ｃ）に示されるように、上取付金具１４を開口フレーム４及び上側の第２横架材３に取り付ける。図１９（ａ）に示されるように、開口フレーム４の上部には、ボルトＢ１及びナットＮ１が仮締めされている。まず、図１９（ｂ）に示されるように、ナットＮ１を取り外した後に、上取付金具１４のネジ貫通穴１６ａ（図３参照）にボルトＢ１を挿通させて、上取付金具１４の鉛直フランジ１６をパネル表面当接片１１に当接させる。このとき、上取付金具１４の水平フランジ１９が上側の第２横架材３の下面３ｂに当接するように、上取付金具１４の位置を調整する。ボルトＢ１に再びナットＮ１を螺合して、上取付金具１４が動かない程度に仮固定する。
【００６８】
図１９（ｃ）に示されるように、上取付金具１４の水平フランジ１９に設けられたネジ貫通穴１９ａからラグスクリュー２１を上側の第２横架材３にねじ込むことにより、上側の第２横架材３に対して上取付金具１４を固定する。そして、ナットＮ１を本締めする。
【００６９】
図１３（ｄ）及び図１４（ｅ）に示されるように、まぐさ壁パネルＰ２を建込む。まぐさ壁パネルＰ２の下端面Ｐ２ｂを上側の横フレーム８に当接させ、取付金具３８に仮固定する（図１１（ａ）参照）。また、まぐさ壁パネルＰ２の上部を上側の第２下地鋼材９の取付金具２７の下段固定部２７ｂに対して仮固定する（図１０参照）。
【００７０】
最後に、仮固定されている腰壁パネルＰ３と取付金具２７，３９とを本固定すると共に、仮固定されているまぐさ壁パネルＰ２と取付金具２７，３８とを本固定した後に、窓フレームＷをはめ込む（図１参照）。なお、必要に応じて、鋼材用ビスを用いて下側の第１下地鋼材６及び上側の第２下地鋼材９のそれぞれに取付金具２７を固定してもよい。また、必要に応じて、鋼材用ビスを用いて取付金具３８を上側の横フレーム８に対して固定すると共に鋼材用ビスを用いて取付金具３９を上側の横フレーム８に対して固定してもよい。以上の工程により、開口フレーム４の取り付けが施工される。
【００７１】
ここで、開口フレーム４の取り付け施工方法について要約すると、壁パネルＰ１間で、開口フレーム４を、室内側から上側の第２横架材３と下側の第１横架材２とを越えた状態にした後、縦フレーム７の下端に配置した下取付金具１３を下側の第１下地鋼材６に当接させ、縦フレーム７の上側に配置した上取付金具１４を上側の第２横架材３の下面３ｂに対面させる工程と、上取付金具１４を、真上に上昇させながら上側の第２横架材３の下面３ｂに当接させる工程と、下取付金具１３と下側の第１下地鋼材６とをボルトＢ２及びナットＮ２で固定する工程と、上取付金具１４を上側の第２横架材３の下面３ｂにラグスクリュー２１で固定する工程と、ボルトＢ１に対してナットＮ１を締め込んで、仮留め状態の上取付金具１４を縦フレーム７にしっかり固定させる工程と、を有している。
【００７２】
本実施形態の開口フレーム４の取付構造１によれば、パネル表面当接片１１が壁パネルＰ１の室内側の表面Ｐ１ａに当接すると共にパネル小口面当接片１２が壁パネルＰ１の小口面Ｐ１ｂに当接するように、室内側から作業を行う。壁パネルＰ１に押し当てられた縦フレーム７に対して、上取付金具１４の鉛直フランジ１６を縦フレーム７のパネル表面当接片１１の上部に取り付けると共に水平フランジ１９を上側の第２横架材３の下面３ｂに取り付けることにより、縦フレーム７の上部が上側の第２横架材３に固定される。また、縦フレーム７の下部には下取付金具１３が固定される。そして、パネル表面当接片１１が壁パネルＰ１の室内側の表面Ｐ１ａに当接すると、下取付金具１３が下側の第１下地鋼材６の鉛直フランジ６ｂに対して室内側から当接して固定される。従って、開口領域Ｓの両側の壁パネルＰ１が先に施工された場合であっても、開口フレーム４を外に出すことなく、開口フレーム４を室内側から容易に取り付けることができる。
【００７３】
また、本実施形態の開口フレーム４の取付構造１では、下側の第１下地鋼材６のネジ貫通穴２６は横長の穴であるので、下側の第１下地鋼材６は、ネジ貫通穴２６に挿通されたボルトＢ２に対して水平方向に移動可能とされる。また、下取付金具１３のネジ貫通穴２３ａは縦長の穴であるので、下取付金具１３は、ネジ貫通穴２３ａに挿通されたボルトＢ２に対して上下方向に移動可能とされる。従って、下取付金具１３は、下側の第１下地鋼材６に対して水平方向及び上下方向に移動可能であるため、下側の第１下地鋼材６に対する開口フレーム４の取付位置の調整しろを大きくすることができる。
【００７４】
ところで、下側の第１下地鋼材６には壁パネルＰ１の水平方向の割り付け位置を規定するための目印Ｍ（図８参照）や、ネジ貫通穴２６を設けるための目印（不図示）といった複数の目印が設けられることがある。このため、それぞれの目印を共通化することによりケガキ作業で形成する目印の数を少なくしてケガキ作業を省力化することが望まれている。
【００７５】
本実施形態の開口フレーム４の取付構造１では、下取付金具１３のネジ貫通穴２３ａをパネル小口面当接片１２から水平方向に突出する方向にずらして設けることが可能になるため、下側の第１下地鋼材６のネジ貫通穴２６を壁パネルＰ１の小口面Ｐ１ｂに対応する割り付け位置に設けることができる。従って、壁パネルＰ１の位置合わせのための目印Ｍと下側の第１下地鋼材６のネジ貫通穴２６のための目印とを共通化して、ケガキ作業を省力化することができる。
【００７６】
また、図２０（ａ）に示されるように、下取付金具１３が開口領域Ｓ側にずらして取り付けられていない場合には、ボルトＢ２の位置が壁パネルＰ１の割り付け位置よりも壁パネルＰ１寄りになり、水平方向において、ネジ貫通穴２３ａの位置が壁パネルＰ１の小口面Ｐ１ｂから比較的深くなる。従って、腰壁パネルＰ３を施工していない状態であっても、ボルトＢ２を下取付金具１３のネジ貫通穴２３ａ及び下側の第１下地鋼材６のネジ貫通穴２６に容易に挿入することができない。
【００７７】
一方、図２０（ｂ）に示されるように、本実施形態の開口フレーム４の取付構造１では、下取付金具１３のネジ貫通穴２３ａがパネル小口面当接片１２から水平方向に突出する方向にずらして設けられている場合には、ボルトＢ２の位置が壁パネルＰ１の割り付け位置と略同じになり、水平方向において、ネジ貫通穴２３ａの位置が壁パネルＰ１の小口面Ｐ１ｂから比較的浅くなる。従って、ボルトＢ２を下取付金具１３のネジ貫通穴２３ａ及び下側の第１下地鋼材６のネジ貫通穴２６に容易に挿入することができる。
【００７８】
また、本実施形態の下取付金具１３によれば、ネジ貫通穴２３ａが水平方向に左右対称に並設されているので、縦フレーム７に対する下取付金具１３の取付位置を変更することにより、同一形状の下取付金具１３を利用することができる。従って、それぞれの縦フレーム７に取り付けられる下取付金具１３を共通化して、部品の種類を削減することができる。
【００７９】
本発明は、前述した実施形態に限定されるものではない。下取付金具１３のネジ貫通穴２３ａと、下側の第１下地鋼材６のネジ貫通穴２６との関係は、例えば、ネジ貫通穴２３ａが大径の穴であり、ネジ貫通穴２６が横長であってもよい。この場合には、ネジ貫通穴２３ａとナットＮ２との間にはワッシャを配置する。また、ネジ貫通穴２３ａが横長の穴であり、ネジ貫通穴２６が縦長の穴であってもよい。さらに、ネジ貫通穴２３ａが大径の穴であり、ネジ貫通穴２６が縦長の穴であってもよい。これらの構成によれば、下側の第１下地鋼材６に対する下取付金具１３の位置調整しろを大きくすることができる。また、下側の第１下地鋼材６のネジ貫通穴２６にボルトＢ２の首部が嵌ることにより、ナットＮ２の螺合時において共回りを防止して、作業性を向上させることができる。
【００８０】
また、開口フレーム４を建込む工程ｄでは、図１５（ｂ）に示されるように、開口フレーム４の下方が室外側になるように傾けて、先に縦フレーム７の下側を壁パネルＰ１に当接させた後に、縦フレーム７の上方を室外側に押すことにより縦フレーム７の全体を壁パネルＰ１に当接させる。そして、当接させた状態で所定の位置まで開口フレーム４を上方に移動させてもよい。
【符号の説明】
【００８１】
１…開口フレームの取付構造、２…第１横架材、３…第２横架材、４…開口フレーム、６…第１下地鋼材、７…縦フレーム、８…横フレーム、９…第２下地鋼材、１１…パネル表面当接片、１１ａ…ネジ貫通穴、１２…パネル小口面当接片、１３…下取付金具、１４…上取付金具、２２…上段固定部、２３…下段固定部、２３ａ…ネジ貫通穴（第２ネジ貫通穴）、２６…ネジ貫通穴（第１ネジ貫通穴）、２７，３８，３９…取付金具、３７…自重受金具、Ｂ１〜Ｂ８…ボルト、Ｎ１〜Ｎ８…ナット、Ｐ１…壁パネル、Ｐ１ａ…表面、Ｐ１ｂ…小口面、Ｐ２…まぐさ壁パネル、Ｐ３…腰壁パネル、Ｓ…開口領域、Ｗ…窓フレーム。
【図１】
2014190127.tif 000003
【図２】
2014190127.tif 000004
【図３】
2014190127.tif 000005
【図４】
2014190127.tif 000006
【図５】
2014190127.tif 000007
【図６】
2014190127.tif 000008
【図７】
2014190127.tif 000009
【図８】
2014190127.tif 000010
【図９】
2014190127.tif 000011
【図１０】
2014190127.tif 000012
【図１１】
2014190127.tif 000013
【図１２】
2014190127.tif 000014
【図１３】
2014190127.tif 000015
【図１４】
2014190127.tif 000016
【図１５】
2014190127.tif 000017
【図１６】
2014190127.tif 000018
【図１７】
2014190127.tif 000019
【図１８】
2014190127.tif 000020
【図１９】
2014190127.tif 000021
【図２０】
2014190127.tif 000022